(57)【要約】      （修正有）【課題】金管楽器から出力される音の調整自由度が高い消音器を提供する。【解決手段】外周面が金管楽器のベルの内周面に接するように取り付けられる筒状部１１と前記筒状部１１の一方の端部１４を閉塞する閉塞部１２とを備える本体１０と、前記本体１０の内側で第１の端部２０ａが開口するとともに前記本体１０の外側に第２の端部２０ｂが開口する性能調整パイプ２０と、前記金管楽器の演奏者の呼気を前記本体１０内に導入するための呼気流路の断面積を調整する断面積調整手段と、を備える。【選択図】図１
2014153633.tif 000002
【特許請求の範囲】
【請求項１】
外周面が金管楽器のベルの内周面に接するように取り付けられる筒状部と前記筒状部の一方の端部を閉塞する閉塞部とを備える本体と、
前記本体の内側で第１の端部が開口するとともに前記本体の外側に第２の端部が開口する性能調整パイプと、
前記金管楽器の演奏者の呼気を前記本体内に導入するための呼気流路の断面積を調整する断面積調整手段と、
を備える消音器。
【請求項２】
前記断面積調整手段は、前記本体に取り付けられるとともに前記金管楽器の軸方向に移動可能な可動部材を備える、
請求項１に記載の消音器。
【請求項３】
前記可動部材の前記筒状部の軸に垂直な面への投影図は、前記筒状部の前記閉塞部と逆側の開口部の前記筒状部の軸に垂直な面への投影図に内包される、
請求項２に記載の消音器。
【請求項４】
前記可動部材は直線状に延びる柱状部材を備え、
前記本体に前記筒状部の軸方向に前記柱状部材を挿入可能な挿入部が形成されている、
請求項２または３のいずれかに記載の消音器。
【請求項５】
前記断面積調整手段は、大きさと形状の少なくとも一方が異なる２個以上の前記可動部材から１個を選択して使用可能である、
請求項２乃至４のいずれかに記載の消音器。
【請求項６】
前記本体は端子を備え、
前記端子にはマイクから延びる信号線が接続される、
請求項１乃至５のいずれかに記載の消音器。
【発明の詳細な説明】
【技術分野】
【０００１】
本発明は消音器に関する。
【背景技術】
【０００２】
従来、金管楽器に使用される消音器として種々の消音器が知られている。例えば、特許文献１においては、ベルと逆側の消音器の端部にネジによって取り付けることが可能な部材１１を備える消音器が開示されており、当該部材１１を本体に挿入する深さを変化させることによって音色が可変となる消音器が開示されている。
【先行技術文献】
【特許文献】
【０００３】
【特許文献１】米国特許第１０３３３０７号公報
【発明の概要】
【発明が解決しようとする課題】
【０００４】
従来の技術においては、金管楽器から出力される音の調整自由度が低かった。すなわち、従来の技術にかかる消音器は、金管楽器に装着された状態においてベルと逆側に開口部が形成され、当該開口部に対して部材１１をネジによって取り付けることにより、当該開口部よりも演奏者側の消音器の端部の位置を調整することができる。しかし、従来の技術においては消音器の開口部に形成されたネジ溝を利用して部材１１を取り付ける必要があり、消音器の開口部は金管楽器の内径よりもわずかに小さい径であるため、部材１１を演奏者側に延ばしたとしてもすぐに金管楽器の内周に部材１１が接触する。この状態においては演奏者の呼気が外部に排出されないため、特許文献１において部材１１の可動範囲は極めて狭い範囲となる。また、従来の技術における消音器は消音器の外周とベルの内周との間が演奏者の呼気の流路となっているが、消音器の外周がベルの内周に密着した状態で使用される消音器に対して従来の技術を適用することは想定されていない。
本発明は、前記課題に鑑みてなされたもので、外周がベルの内周に密着した状態で使用される消音器（弱音器を含む）であって、金管楽器から出力される音の調整自由度が高い消音器を提供することを目的とする。
【課題を解決するための手段】
【０００５】
前記目的を達成するため、本発明においては、筒状部および閉塞部を備える本体と、本体の内側で第１の端部が開口するとともに本体の外側に第２の端部が開口する性能調整パイプと、呼気流路の断面積を調整する断面積調整手段とを備える消音器を構成した。
【０００６】
すなわち、消音器を構成する筒状部の外周面が金管楽器のベルの内周面に接するように取り付けられることにより、消音器の外周面とベルの内周面との間からは演奏者の呼気が漏れないように構成されている。このため、演奏者の呼気を排出する必要があり、筒状部と閉塞部とによって消音器の本体が中空となるように構成され、当該筒状部の閉塞部が存在しない側の端部が開口することによって演奏者の呼気が金管楽器から消音器の本体内に導入されるように構成されている。さらに、性能調整パイプの第１の端部が本体の内側で開口し、第２の端部が本体の外側に開口しているため、演奏者の呼気は第１の端部から性能調整パイプ内に導入され、第２の端部から本体の外側に排出されるように構成されている。
【０００７】
このような構成においては、本体の開口部（閉塞部と逆側の端部）よりも演奏者側の金管楽器の内側の空間が演奏者の呼気を本体内に導入するための呼気流路となる。断面積調整手段は、呼気流路の断面積（例えば、金管楽器の軸に垂直な方向の断面積）を調整することが可能であり、当該断面積を調整することにより、呼気流路の断面積が異なる複数の状態で金管楽器を使用することができる。この場合、各状態において金管楽器から出力される音の音程や音色が異なり得るため、高い調整自由度で音を調整可能な消音器を提供することができる。
【０００８】
ここで、消音器の本体を構成する筒状部は、当該筒状部の外周面が金管楽器のベルの内周面に接するように取り付けられることで、消音器の外周面とベルの内周面との間からは演奏者の呼気が漏れないように構成されていればよい。従って、筒状部の外周面にベルの内周面との接触性を高める部材が取り付けられていてもよいし、外周面が金管楽器のベルの形状に沿ってベルの形状よりも緩やかに変化するように（例えば、外側に向けてベルよりも緩やかに外周の径が徐々に大きくなるように）構成されていても良い。また、筒状部は、薄い板状の壁面が軸の周囲に存在することで軸方向の両端が開口するように構成された部材であれば良く、素材や外周径、内周径は限定されない。
【０００９】
閉塞部は、筒状部の一方の端部を閉塞する壁面を構成すれば良く、例えば、薄い板状の部材が筒状部の一方の端部に取り付けられる構成等を採用可能である。すなわち、閉塞部が取り付けられた筒状部の端部（一方の端部）と逆側の端部を金管楽器に挿入するとともに、筒状部の外周面を金管楽器のベルの内周面に接触させることによって本体を金管楽器に取り付けるように構成されている。この結果、閉塞部が金管楽器の外側に露出し、筒状部における閉塞部と逆側の端部が金管楽器の内側に隠れた状態、例えば、トランペットであれば、閉塞部が演奏者と反対側に配置され、筒状部における閉塞部と逆側の端部が演奏者側に配置された状態となる。むろん、閉塞部と筒状部とは一体的に形成されてもよいし、別体であった閉塞部と筒状部とが連結される構成であっても良い。
【００１０】
性能調整パイプは、両端が開口したパイプであれば良く、本体の内側で第１の端部が開口するとともに本体の外側に第２の端部が開口するように本体に取り付けられていればよく、第１の端部と第２の端部との間において性能調整パイプが直線状であっても良いし曲げられていてもよい。後者の場合、第１の端部と第２の端部との間における曲率の変化は特に限定されず、直線状の部位と曲げられた部位とが接合された形状であっても良いし、曲率が連続的に変化するように曲げられた形状（例えばらせん状）であってもよい。なお、曲率は離散的に変化してもよいが、特定の音波でディップやピークが生じることや吹奏感の悪化等を防止するためには曲率が連続的に変化する構成の方が好ましい。なお、性能調整パイプの長さや第１の端部の位置は消音器の性能を左右するため、例えば、性能調整パイプの長さが、金管楽器の実用音で共鳴しない長さとなる範囲でできるだけ長くする構成を採用してもよい。また、第１の端部を閉塞部の近傍に開口させることにより、可聴域の音波でディップやピーク等が発生しないように構成されていても良い。
【００１１】
断面積調整手段は、呼気流路の断面積を調整することができればよく、断面積調整手段を構成する部材が呼気流路内に存在し、当該部材の大きさ、形状、位置のいずれかまたは組み合わせが変化することに伴って呼気流路の断面積が実質的に変化するように構成されていれば良い。呼気流路は、金管楽器の演奏者の呼気を本体内に導入するための流路であり、上述の従来の技術のように、呼気が消音器の本体の外周面と金管楽器の内周面との間を通る形態の消音器とは異なる消音器が前提となっている。
【００１２】
また、呼気流路の断面積は金管楽器の軸に垂直な方向に金管楽器を切断した状態を想定した場合において呼気が通る部分の面積であれば良い。すなわち、金管楽器の使用時における当該断面積を変化させることによって、消音器を装着した状態において出力される音が変化することが判明しており、当該断面積を変化させることによって演奏者の好みの音に音を調整したり、消音器を使用しない場合における出力音と類似した音になるように音を調整したりすることができるように構成されていれば良い。
【００１３】
さらに、呼気流路の断面積を調整するための構成例として、断面積調整手段が、消音器の本体に取り付けられるとともに金管楽器の軸方向に移動可能な可動部材を備える構成としてもよい。すなわち、金管楽器の管体はベルから演奏者に向けて内径が徐々に変化するように構成されており、当該管体内で所定の大きさを有する可動部材を金管楽器の軸方向に移動させれば、可動部材と管体の内周面との距離が変動し、これに伴って呼気流路の断面積が変化する。この構成によれば、容易に呼気流路の断面積を変化させることができる。
【００１４】
さらに、可動部材の筒状部の軸に垂直な面への投影図は、筒状部の閉塞部と逆側の開口部の筒状部の軸に垂直な面への投影図に内包されるように構成しても良い。この構成によれば、可動部材を筒状部の内側に移動させることが可能であり、音の調整自由度を向上させることが可能であるとともに、小型の金管楽器に使用することも可能になる。
【００１５】
さらに、可動部材が直線状に延びる柱状部材を備え、本体に筒状部の軸方向に柱状部材を挿入可能な挿入部が形成されている構成としてもよい。この構成によれば、柱状部材の挿入部に対する挿入深さを調整することによって可動部材を筒状部の軸方向に移動させることが可能であり、簡易な構成によって可動部材を提供することができる。
【００１６】
さらに、断面積調整手段において、大きさと形状の少なくとも一方が異なる２個以上の前記可動部材から１個を選択して使用可能であるように構成されていても良い。すなわち、可動部材は交換可能であり、可動部材を交換することによって管体内に配置させる可動部材の大きさと形状の少なくとも一方を変化させることができるように構成する。この構成によれば、より高い自由度で金管楽器から出力される音を調整することが可能である。
【図面の簡単な説明】
【００１７】
【図１】（１Ａ）は消音器の断面図、（１Ｂ）は消音器を閉塞部側から眺めた図である。
【図２】（２Ａ）（２Ｂ）は消音器の断面図である。
【図３】（３Ａ）（３Ｂ）（３Ｃ）は呼気流路の断面積が最小になる部位をトランペットの軸に平行な方向から眺めた状態を示す図、（３Ｄ）（３Ｅ）（３Ｇ）は可動部材の断面図、（３Ｆ）（３Ｈ）は可動部材を軸方向から見た図である。
【図４】（４Ａ）（４Ｃ）は可動部材の断面図、（４Ｂ）（４Ｄ）は可動部材を軸方向から見た図である。
【図５】消音器の断面図である。
【発明を実施するための形態】
【００１８】
ここでは、下記の順序に従って本発明の実施の形態について説明する。
（１）消音器の構成：
（２）他の実施形態：
【００１９】
（１）消音器の構成：
図１Ａ、１Ｂは、本発明の一実施形態にかかる消音器を示す図である。図１Ａはトランペットのベル１に装着された消音器をトランペットの管の軸に沿って切断した場合の断面図である。本実施形態にかかる消音器は筒状部１１と閉塞部１２とからなる本体１０を備えており、当該本体１０の内側には性能調整パイプ２０が取り付けられている。また、本体１０には音程調整のための可動部材３０が取り付けられている。
【００２０】
筒状部１１は板状の部材で構成されており、軸に沿って内径及び外径が徐々に変化する形状である。すなわち、筒状部１１は、略円錐台の形状であり、本実施形態において、円錐台の側面に相当する壁面は図１Ａに示す断面において直線ではなく曲線であり、軸に沿って徐々に曲率が変化する。また、筒状部１１における軸方向の一方の端部は他方の端部よりも内径が大きい。本実施形態においては、内径が大きい方の端部１４（下底に相当する端部）に閉塞部１２が連結され、内径が小さい方の端部１３（上底に相当する端部）は開口している。従って、本体１０は一端が開口した中空の部材である。
【００２１】
閉塞部１２は板状の部材で構成されており、本体１０の外部に露出する閉塞部１２の外面は略椀状の形状である。閉塞部１２の内面も略椀状の形状であるが、その中央（筒状部１１の軸と閉塞部１２との交点）には可動部材３０を構成する棒状部材３２を固定するための柱状部材であるボス１２ａが形成されている。ボス１２ａは、本体１０の内側において筒状部１１の軸方向に沿って延びる部材であり、筒状部１１の軸と同一の軸を有する円柱状の穴１２ｂが形成されている。
【００２２】
棒状部材３２は、金属製（例えば、アルミ製）の円筒部材であり、棒状部材３２の外径はボス１２ａの穴１２ｂの内径よりもわずかに小さくなっている。従って、棒状部材３２を穴１２ｂに挿入することによって棒状部材３２をボス１２ａに固定することができる。棒状部材３２には円錐台部３１が取り付けられ、当該円錐台部３１と棒状部材３２とによって可動部材３０が構成される。
【００２３】
円錐台部３１は、板状の部材で構成された略円錐台の形状の部材であり、本実施形態において、円錐台の側面は図１Ａに示す断面において直線である。また、円錐台部３１の円錐台における内径が小さい方の端部３１ｃ（上底に相当する端部）は閉塞しており、内径が大きい方の端部３１ａ（下底に相当する端部）は開口している。従って、円錐台部３１も一端が開口した中空の部材である。円錐台部３１の端部３１ｃには棒状部材３２を固定するための柱状部材であるボス３１ｂが形成されている。ボス３１ｂは、円錐台部３１の内側において円錐台部３１の軸方向に沿って延びる部材であり、円錐台部３１の軸と同一の軸を有する円柱状の穴が形成されている。当該穴の内径は、棒状部材３２の外径よりわずかに大きくなっている。従って、棒状部材３２を当該穴に挿入することによって棒状部材３２をボス３１ｂに固定することができる。
【００２４】
図１Ａにおいては、棒状部材３２がボス１２ａの穴１２ｂおよびボス３１ｂの穴に挿入されることにより、棒状部材３２を介して可動部材３０が本体１０に対して取り付けられた状態を示している。なお、円錐台部３１を軸に垂直な方向の面に投影した図は、筒状部１１の端部１３に形成される開口部を軸に垂直な方向の面に投影した図に内包される。従って、棒状部材３２を穴１２ｂに押し込みながら可動部材３０を本体１０側に移動させることにより、端部１３よりも本体１０の内側に可動部材３０の端部３１ａを挿入することが可能であるとともに、棒状部材３２を穴１２ｂに挿入した状態で可動部材３０を本体１０と逆側に移動させることにより、棒状部材３２が穴１２ｂに固定されなくなるまで可動部材３０を引き出すことが可能である。本実施形態において、ボス１２ａの軸と筒状部１１の軸とは一致し、筒状部１１の軸がトランペットの管の軸に一致するように本体１０がトランペットに取り付けられるため、可動部材３０をボス１２ａに沿って移動させると、可動部材３０を筒状部１１の軸方向に移動させ、また、トランペットの軸方向に移動させることができる。
【００２５】
本実施形態にかかる筒状部１１においては、外周に摩擦係数の大きい緩衝材（スポンジ等の樹脂）１１ａが巻き付けられている。また、筒状部１１における曲率は、本体１０の装着対象となるトランペットのベル１の曲率よりも軸方向の単位距離あたりの変化が小さい。従って、本体１０の端部１３をベル１内に挿入して本体１０をベル１内に移動させると、やがて、筒状部１１の外周に取り付けられた緩衝材１１ａの外周がベル１の内周に密着する。この状態においてさらに本体１０をベル１内に押し込むと、緩衝材１１ａが変形するとともに摩擦力によって本体１０がベル１に固定された状態となる。
【００２６】
本実施形態においては、緩衝材１１ａの厚さを所定の厚さとしており、緩衝材１１ａの変形量にある程度の幅があるため、本体１０をベル１に固定する位置にある程度の幅がある。従って、本体１０をベル１に固定する位置を調整することによって音程を調整することが可能である。
【００２７】
性能調整パイプ２０は、円筒部材であり、一方の端部から他方の端部までの軸の形状が、直線状の部位と円弧状の部位と直線状の部位とが連結された形状となるような円筒形状である。すなわち、性能調整パイプ２０は、図１Ａに示すように略平行の直線状の部位と各直線状の部位に連結する円弧状の部位とによって構成されている。
【００２８】
性能調整パイプ２０の両端は開口しており、図１Ｂ（閉塞部１２を本体１０の外側から見た図）に示すように、第１の端部２０ａは消音器の本体１０の内側で開口し、第２の端部２０ｂは消音器の本体１０の外側に開口する。すなわち、閉塞部１２においては、裏側（本体１０の内側）に、演奏者方向に延びるボス１２ｃが形成されており、当該ボス１２ｃは筒状部１１の軸に平行な円柱状の穴が形成され、当該穴は閉塞部１２の表裏（本体１０の外側と内側）を貫通している。当該穴の内径は性能調整パイプ２０の外径よりもわずかに大きくなっており、当該穴に対して性能調整パイプ２０の第２の端部２０ｂを挿入して性能調整パイプ２０を固定することができる。そして、性能調整パイプ２０の第２の端部２０ｂがボス１２ｃに挿入されることにより、第２の端部２０ｂが本体１０の外側に開口することになる。
【００２９】
性能調整パイプ２０は、第１の端部２０ａと第２の端部２０ｂとの間で半円状に曲がっているため、性能調整パイプ２０の第２の端部２０ｂがボス１２ｃに挿入されて固定された状態において性能調整パイプ２０の第１の端部２０ａは第２の端部２０ｂと同方向に開口している。さらに、性能調整パイプ２０は直線状の部位と曲がった部位と直線状の部位とが連結された形状であるが、第２の端部２０ｂ側の直線状の部位は第１の端部２０ａ側の直線状の部位よりも長い。従って、第１の端部２０ａは閉塞部１２に到達せず、第１の端部２０ａは閉塞部の近傍で閉塞部１２側に開口した状態となる。この結果、本実施形態においては、演奏者の呼気がトランペットの管から本体１０内に導入され、本体１０内の呼気がさらに性能調整パイプ２０の第１の端部２０ａに導入され、性能調整パイプ２０内の呼気は性能調整パイプ２０の第２の端部２０ｂから本体１０の外側に排出されることになる。
【００３０】
図２Ａ、図２Ｂは、可動部材３０の可動範囲を示す図であり、図２Ａは可動部材３０を最も本体１０に近い位置に移動させた状態を示し、図２Ｂは可動部材を最も本体１０から離れた位置に移動させた状態を示している。このように、本実施形態においては、可動部材３０を図２Ａに示す状態から図１Ａを経て図２Ｂに示す状態になるまで移動させることができる。図３Ａ、図３Ｂ、図３Ｃは、可動部材３０が図２Ａ、図１Ａ、図２Ｂの各位置に固定された状態において、呼気流路の断面積が最小になる部位Ｐminをトランペットの軸に平行な方向から眺めた状態を示す図である。なお、図３Ａにおいては、円錐台部３１の外周面を実線で示し、筒状部１１の内周面を破線で示している。また、図３Ｂ、図３Ｃにおいては、円錐台部３１の外周面を実線で示し、ベル１の内周面を破線で示している。
【００３１】
図３Ａ、図３Ｂ、図３Ｃ、図２Ａ、図１Ａ、図２Ｂにおいては、部位Ｐminにおける円錐台部３１の外周面とベル１もしくは筒状部１１の内周面との距離をそれぞれＬ2a、Ｌ1a、Ｌ2b、と示しており、この例においては、Ｌ2a＜Ｌ1a、Ｌ1a＞Ｌ2b、Ｌ2a＜Ｌ2bである。すなわち、本実施形態においては、可動部材３０を移動させることにより、呼気流路の断面積が最小になる部位Ｐminにおける呼気流路の断面積が変化し、可動部材３０の全可動範囲で比較した場合、図２Ａのように可動部材３０を本体１０に最も接近させた状態において部位Ｐminにおける呼気流路の断面積が最も小さくなる。また、可動部材３０を本体１０に最も接近させた状態から可動部材３０を徐々に本体１０から離していくと、円錐台部３１の外周面とベル１の内周面との距離が最大値に達して部位Ｐminにおける呼気流路の断面積が最大値となり、さらに可動部材３０を本体１０から離していくと部位Ｐminにおける呼気流路の断面積が徐々に小さくなっていく。
【００３２】
ここで、トランペットに装着されたマウスピースに演奏者が唇をつけて呼気を導入した場合、演奏者の唇の振動による音波が伝搬する。この音波によってトランペット内部に定在波が発生し、発生した定在波によってトランペットから出力される音の音程が定まる。つまり、呼気流路の断面積を変化させることは、前述の音波が伝搬する経路の断面積を変化させることになる。よって、呼気流路の断面積を変化させる構成においては、おおむね、呼気流路の断面積が大きい場合に音程が上がり、呼気流路の断面積が小さい場合に音程が下がる。従って、可動部材３０の位置を調整することによってトランペットから出力される音の音程等を調整することが可能である。
【００３３】
なお、本実施形態においては、可動部材３０の円錐台部３１が円錐台であることにより、可動部材３０の移動に伴ってより多くの要素が変化する。例えば、可動部材３０の移動に伴って、円錐台部３１の側面の全域に渡って円錐台部３１の外周面とトランペットもしくは筒状部１１の内周面との距離が変化するため、呼気流路の断面積は、部位Ｐminのみならず円錐台部３１の側面の全域に渡って変化する。このため、円錐台部３１の側面の周囲に存在する呼気流路の容積および形状が複雑に変化し、トランペットから出力される音の音程等を種々の状態に調整することが可能である。
【００３４】
さらに、本実施形態においては、消音器の本体１０の閉塞部１２が音波の反射面となるが、当該反射面の位置と円錐台部３１との位置関係が変化することによって音程等が変化し得る。すなわち、反射面としての閉塞部１２と円錐台部３１の上底に相当する端部３１ｃとの位置関係が変化するとトランペットから出力される音の音程等が変化し得る。さらに、本体１０の端部１３と可動部材３０の端部３１ａとの距離が変わることによって、呼気流路の隙間が大きく変動するため演奏者が感じる吹奏感が大きく変動するとともに、当該隙間の大きさによってトランペットから出力される音の音程等が変化し得る。以上のように、本実施形態にかかる消音器によれば、高い自由度で音を調整することができ、高い自由度で吹奏感を調整することができる。
【００３５】
（２）他の実施形態：
本発明においては、金管楽器の使用時における呼気流路の断面積を調整することができればよく、他にも種々の構成を採用可能である。例えば、円錐台部３１および棒状部材３２の大きさは図１Ａに示す構成に限定されない。図３Ｄに示す可動部材３００は、図１Ａに示す可動部材３０とほぼ同様の形状であるが、円錐台部３１０および棒状部材３２０が円錐台部３１および棒状部材３２よりも小さくなっている。このため、可動部材３００を図１Ａに示す本体１０に取り付けて使用すれば、可動部材３００の全体を本体１０の内側に挿入して使用することも可能になる。なお、この場合、可動部材３００を取り外すことができるように、筒状部１１と閉塞部１２とが着脱可能であることが好ましい。
【００３６】
以上のように、可動部材の形状および大きさが種々のものを構成することが可能であり、複数の可動部材を予め作成しておき、任意の１個を選択して本体１０に取り付けて使用できるように構成すれば、音の調整の自由度がさらに高くなる。
【００３７】
さらに、可動部材を構成する円錐台部が変形することによって呼気流路の断面積を調整できるように構成されていても良い。図３Ｅ〜３Ｈは、変形する円錐台部３１１を示す図であり（棒状部材は省略）、図３Ｅ、図３Ｇは円錐台部３１１の軸に沿って円錐台部３１１を切断した状態の断面図、図３Ｆ、図３Ｈは円錐台部３１１の軸に平行な方向から円錐台部３１１の上底側を眺めた図である。なお、図３Ｅは図３ＦのＡ−Ａ断面図であり、図３Ｇは図３ＨのＢ−Ｂ断面図であり、図３Ｅ、図３Ｇにおいて断面より奥側の構造は省略している。
【００３８】
本例においては、円錐台部３１１を構成する３カ所の可動部位３１１ａが、円錐台部３１１の軸に垂直な面内で円錐台部３１１の軸を中心とした放射状の方向に移動可能である。具体的には、可動部位３１１ａは可撓部３１１ｂを介して円錐台部３１１のボス３１１ｃ（棒状部材が挿入されるボス）と連結されており、可撓部３１１ｂを撓ませることにより、可動部位３１１ａを円錐台部３１１の軸に近接、または離間させるように移動させることができる。本例においては、図３Ｆ、図３Ｈに示す円錐台部３１１の中心（軸の位置）から上方を０°とし、時計回りに角度を増加させる場合において、１２０°、２４０°の方向に可動部位３１１ａが形成されている。従って、０°、１２０°、２４０°の位置で可動部位３１１ａが軸に近接し、または離間することが可能である。
【００３９】
さらに、本例における可動部位３１１ａにおいては、可撓部３１１ｂから延びる壁面の厚さが４段階に変化するように構成されており、可撓部３１１ｂに最も近い階段部３１１ｅ１から順に、階段部３１１ｅ２、階段部３１１ｅ３、階段部３１１ｅ４の順に厚さが厚くなる。そして、各階段部３１１ｅ４には、ストッパ３１１ｄを取り付けることが可能である。すなわち、ストッパ３１１ｄは内径および外径が軸方向に変化しない筒状体であるとともに、筒状体の軸方向から見た内径および外径が６角形になるように構成されている。また、当該６角形の３辺に相当する壁面の内側の面は、階段部３１１ｅ１〜３１１ｅ４の各面と同じ形状および大きさである。従って、３カ所の可動部位３１１ａにおいて同一の階段部にストッパ３１１ｄをかけることによって可動部位３１１ａの位置を４段階に調整可能である。
【００４０】
例えば、図３Ｅ、図３Ｆにおいては、階段部３１１ｅ１にストッパ３１１ｄをかけた状態を示しており、この状態においては、可動部位３１１ａの外周面と円錐台部３１１の外周面とが一致している。一方、図３Ｇ、図３Ｈにおいては、階段部３１１ｅ４にストッパ３１１ｄをかけた状態を示しており、この状態においては、可動部位３１１ａの外周面が円錐台部３１１の外周面よりも内側に移動している。従って、図３Ｅ、図３Ｆと比較して図３Ｇ、図３Ｈの状態においては、呼気流路の断面積が大きくなる。なお、図３Ｇ、図３Ｈにおいては、可動部位３１１ａが移動する前の可動部位３１１ａの外周面を破線で示している。このように、可動部位３１１ａを移動させて呼気流路の断面積を調整することにより、トランペットから出力される音を調整することが可能である。
【００４１】
図４Ａ〜４Ｄは、円錐台部の外周面が弾性体（ゴムやエラストマー等）で構成されており、当該弾性体の弾性力を利用して円錐台部の外周面の形状を変形させることが可能である。図４Ａ〜４Ｄは、弾性体の弾性力を利用して変形する円錐台部３１２を示す図であり、図４Ａ、図４Ｃは円錐台部３１２の軸に沿って円錐台部３１２を切断した状態の断面図、図４Ｂ、図４Ｄは円錐台部３１２の軸に平行な方向から円錐台部３１２の上底側を眺めた図である。なお、図４Ａは図４ＢのＣ−Ｃ断面図であり、図４Ｃは図４ＤのＤ−Ｄ断面図であり、図４Ａ、図４Ｂにおいて断面より奥側の構造は省略している。
【００４２】
本例において、円錐台部３１２の外周面は厚さが略一定の弾性体で構成されており、当該弾性体の内側に複数個（本例においては６個）の突出部３１２ａが円錐台部３１２の軸に向けて突出するように取り付けられている。突出部３１２ａのそれぞれには、さらに円錐台部３１２の軸に向けて突出するスライド部３１２ａ１が設けられている。スライド部３１２ａ１は、円錐台部３１２の軸方向において突出部３１２ａの全長に渡って形成されており、円錐台部３１２の軸に向けて突出するとともに厚さは一定である。すなわち、板状の突出部３１２ａ１が円錐台部３１２の軸に向けて突出している。また、突出部３１２ａは、円錐台部３１２の軸に方向において本体１０に近づくほど（円錐台部３１２の上底から下底に向けて）厚さが徐々に増加し、当該厚さの増加に伴ってスライド部３１２ａ１の先端と円錐台部３１２の軸との距離が小さくなるように構成されている。
【００４３】
本例においては、円柱状の棒状部材３２２を介して可動部材（円錐台部３１２および棒状部材３２２）が本体１０に取り付けられる。当該棒状部材３２２に対しては、調整部３１２ｂと角度調整部３１２ｃとが挿入される。調整部３１２ｂは、円筒形の部材であるとともに、外周面の６箇所にはスライド部３１２ａ１を挿入可能な溝３１２ｂ１が形成されている。また、調整部３１２ｂの内周面にはネジ溝が形成されており、棒状部材３２２においても、当該棒状部材３２２の先端から円錐台部３１２の全長に相当する長さだけネジ溝が形成されている。従って、調整部３１２ｂを回転させることによって調整部３１２ｂの位置を変化させることが可能である。
【００４４】
角度調整部３１２ｃは、略円錐台の外形であるとともに中央には棒状部材３２２を挿入するための穴が形成されている。また、角度調整部３１２ｃにおいては、円錐台の下底に相当する部位の６カ所に連結部３１２ｃ１の端部が回動可能に連結される。当該連結部３１２ｃ１の他方の端部は突出部３１２ａに対して回動可能に連結される。
【００４５】
本例においては、弾性体が円錐台部３１２の外周面の周が小さくなるように（円錐台部３１２の軸方向に向けて）力を作用させている。本例においては、調整部３１２ｂがいずれの位置にあるとしても、突出部３１２ａに円錐台部３１２の軸方向に向けた力が作用し、スライド部３１２ａ１が調整部３１２ｂに接触するまで突出部３１２ａが軸方向に向けて移動される。本例においては、このような作用を利用して円錐台部３１２の外周の形状を変形させることが可能である。例えば、図４Ｃ、図４Ｄに示すように、調整部３１２ｂが円錐台部３１２の最も奥（円錐台部３１２の上底に相当する面に接触する位置）に存在する状態においては、円錐台部３１２の外周が円錐台部３１２の軸に最も近い状態である。
【００４６】
この状態から円錐台部３１２を回転させると、スライド部３１２ａ１を介して調整部３１２ｂを棒状部材３２２周りに回転させることが可能である。調整部３１２ｂが回転すると、当該調整部３１２ｂは棒状部材３２２の軸方向に移動するため、当該調整部３１２ｂの移動に伴って円錐台部３１２の外周が円錐台部３１２の軸から徐々に遠ざかる。そして、回転を続けると、やがて調整部３１２ｂが可動範囲の端（図４Ａ、図４Ｃの左端）に到達し、円錐台部３１２の外周が円錐台部３１２の軸から最も遠い状態となるまで変形させることができる。本例においては、円錐台部３１２の外周と円錐台部３１２の軸との距離を連続的に変化させることができ、当該変化に伴って、呼気流路の断面積を徐々に変化させることが可能である。なお、図４Ｃにおいては、図４Ａにおける円錐台部３１２の外周の位置を破線で示している。このように、調整部３１２ｂを移動させて呼気流路の断面積を調整することにより、トランペットから出力される音を調整することが可能である。
【００４７】
さらに、呼気流路の断面積を変化させるためには、他にも種々の構成を採用可能であり、例えば、大きさがわずかに異なる２個の円錐台を軸に沿って切断して得られた各部材を
共通の軸で回転可能に連結すれば、両者を相対的に回転させることにより、呼気流路の断面積を変形させることが可能になる。また、円錐台部の代わりに中空の弾性体を取り付け可能に構成し、当該弾性体内に気体を封入可能に構成すれば、封入する気体の量を変化させることによって呼気流路の断面積を変化させることが可能になる。むろん、本体１０に取り付けられる可動部材の形状は円錐台以外の形状も採用可能であり、円筒形や円柱形であってもよい。
【００４８】
さらに、可動部材を本体に対して強固に固定できるように構成しても良い。例えば、図１Ａに示す構成において、棒状部材３２を円柱部材で構成し、ボス１２ａの穴１２ｂと棒状部材３２の先端にネジ溝を形成すれば、両者をより強固に、また、演奏中に棒状部材３２の位置が変化しないように固定することができる。むろん、棒状部材３２の先端はすり割り付き止めネジ（いもネジ）であってもよいし、ボス１２ａの先端にナットやダブルナットを取り付けるように構成しても良い。また、円錐台部３１と棒状部材３２とをネジによって固定できるように構成しても良い。
【００４９】
さらに、消音器から出力される音は各種の手法で調整されてよく、閉塞部１２の内側に特定周波数の音域を吸収する吸音材を取り付ける構成としてもよい。例えば、金管楽器の使用音域の中の中高音域の音波を吸収する吸音材を閉塞部１２の内側や性能調整パイプ２０の外周の第１の端部２０ａの近傍に取り付ければ、性能調整パイプ２０に進入する中高音成分が相対的に少なくなり、出力音を柔らかくすることが可能である。
【００５０】
さらに、消音器によって消音を行いつつマイクによって集音し、集音された音を特定の者（演奏者等）が聞くことができるようにする構成を追加しても良い。図５は、消音器にマイクを取り付けることができる構成の例を示す図である。図５においては、図１Ａに示す構成と同様の構成については同一の符号で示している。図５に示す構成例においては、棒状部材３２が円錐台部３１の端部３１ｃを貫通するように取り付けられており、棒状部材３２の端部にマイク３２０ａが取り付けられている。また、閉塞部１２の中央には端子１２０ａが取り付けられており、マイク３２０ａおよび端子１２０ａには信号線３２０ｂが接続されている。この構成にかかる消音器１０を金管楽器のベルに取り付けた状態で端子１２０ａにアンプ等への出力信号線を接続すれば、金管楽器からの出力音を消音しつつ、アンプ等によって演奏音を所望の大きさの音に変換し、特定の者に聞かせることが可能である。なお、マイク３２０ａの位置は棒状部材３２の端部に限定されるものではなく、消音器内で演奏音を検出できる場所であればどこでもよい。また、マイク３２０ａの出力信号をアンプ等に送る手段は有線通信に限定されるものではなく、無線通信でもよい。
【符号の説明】
【００５１】
１０…本体、１１…筒状部、１１ａ…緩衝材、１２…閉塞部、１２ａ…ボス、１２ｂ…穴、１２ｃ…ボス、１３…端部、１４…端部、２０…性能調整パイプ、２０ａ…第１の端部、２０ｂ…第２の端部、３０…可動部材、３１…円錐台部、３１ａ…端部、３１ｂ…ボス、３１ｃ…端部、３２…棒状部材
【図１】
2014153633.tif 000003
【図２】
2014153633.tif 000004
【図３】
2014153633.tif 000005
【図４】
2014153633.tif 000006
【図５】
2014153633.tif 000007